(57)【要約】【課題】ディスク発行装置において、ユーザが、ディスク発行に係る一連の処理に要する時間を容易に知ることができるようにする。【解決手段】光ディスクＤにデータを記録するデータ記録装置２０と、光ディスクＤに画像を印刷する印刷装置３０とを備えたディスク発行装置１を制御するホスト装置１００は、データ記録装置２０および印刷装置３０の動作条件を記憶部１２４に記憶し、ディスク発行装置１によってジョブを実行するよう指示された場合に、指示されたジョブの実行に要すると予想される予想所要時間を、データ記録装置２０および印刷装置３０のうちジョブを実行するものについて記憶した動作条件に基づいて算出して、モニタ部１１２に表示する。【選択図】図３
2009070524.tif 000002
【特許請求の範囲】
【請求項１】
記録媒体にデータを記録するデータ記録部と、前記記録媒体に画像を印刷する印刷部と、前記記録媒体を搬送する搬送部と、を備えたディスク発行装置を制御する制御装置において、
前記ディスク発行装置が備える前記データ記録部および前記印刷部の動作条件を記憶した動作条件記憶手段と、
前記ディスク発行装置により、前記データ記録部と前記印刷部の少なくとも一方を用いて前記記録媒体を処理するジョブを実行するよう指示する指示手段と、
前記指示手段の指示に従って前記ディスク発行装置を制御してジョブを実行させる実行制御手段と、
前記指示手段により指示されたジョブの実行に要すると予想される予想所要時間を、前記ディスク発行装置が備える前記データ記録部および前記印刷部のうち前記ジョブを実行するものについて前記動作条件記憶手段に記憶された動作条件と前記記録媒体を搬送する搬送経路とに基づいて算出する所要時間算出手段と、
前記所要時間算出手段により算出された予想所要時間を表示し、或いは、前記予想所要時間から得られる予想完了時間を表示する表示手段と、
を備えることを特徴とする制御装置。
【請求項２】
請求項１に記載の制御装置において、
前記動作条件記憶手段は、
前記データ記録部の動作条件として、前記記録媒体にデータを記録する際の記録速度、データを記録可能な前記記録媒体の種類、前記記録媒体にデータを記録する記録サイズのうちいずれか１以上を含む情報を前記動作条件として記憶し、
前記印刷部の動作条件として、前記記録媒体に画像を印刷する際の印刷モードを前記動作条件として記憶すること、
を特徴とする制御装置。
【請求項３】
請求項１または２に記載の制御装置において、
前記動作条件記憶手段は、前記ディスク発行装置においてジョブを実行可能な前記データ記録部または前記印刷部の数を含む動作条件を記憶し、
前記所要時間算出手段は、前記動作条件記憶手段に記憶された動作条件に基づいてジョブを実行可能な前記データ記録部または前記印刷部の数を特定し、特定した前記データ記録部または前記印刷部の数に応じた計算方法に従って予想所要時間を算出すること、
を特徴とする制御装置。
【請求項４】
請求項１から３のいずれかに記載の制御装置において、
前記所要時間算出手段は、前記指示手段によって複数のジョブの実行が指示された場合に、指示されたジョブ毎の予想所要時間を算出し、
前記表示手段は、実行が指示されたジョブと、ジョブ毎の予想所要時間とを一覧表示すること、
を特徴とする制御装置。
【請求項５】
請求項１から４のいずれかに記載の制御装置において、
前記所要時間算出手段は、前記指示手段によってジョブの実行が指示された場合に、前記実行制御手段が前記ディスク発行装置を制御してジョブを実行させる前に、指示されたジョブの予想所要時間を算出し、
前記表示手段は、前記実行制御手段が前記ディスク発行装置を制御してジョブを実行させる前に、指示されたジョブの予想所要時間を表示すること、
を特徴とする制御装置。
【請求項６】
記録媒体にデータを記録するデータ記録部と、前記記録媒体に画像を印刷する印刷部と、前記記録媒体を搬送する搬送部と、を備えたディスク発行装置の制御方法であって、
前記ディスク発行装置が備える前記データ記録部および前記印刷部の動作条件を記憶しておき、
前記ディスク発行装置によって、前記データ記録部と前記印刷部の少なくとも一方を用いて前記記録媒体を処理するジョブを実行するよう指示された場合に、
指示に従って前記ディスク発行装置を制御してジョブを実行させる一方、
指示されたジョブの実行に要すると予想される予想所要時間を、前記ディスク発行装置が備える前記データ記録部および前記印刷部のうち前記ジョブを実行するものについて記憶した動作条件と前記記録媒体を搬送する搬送経路とに基づいて算出し、
算出した予想所要時間を表示し、或いは、前記予想所要時間から得られる予想完了時間を表示すること、
を特徴とするディスク発行装置の制御方法。
【請求項７】
記録媒体にデータを記録するデータ記録部と、前記記録媒体に画像を印刷する印刷部と、前記記録媒体を搬送する搬送部と、を備えたディスク発行装置を制御するコンピュータにより実行可能な制御プログラムであって、
前記コンピュータを、
前記ディスク発行装置が備える前記データ記録部および前記印刷部の動作条件を記憶した動作条件記憶手段と、
前記ディスク発行装置により、前記データ記録部と前記印刷部の少なくとも一方を用いて前記記録媒体を処理するジョブを実行するよう指示する指示手段と、
前記指示手段の指示に従って前記ディスク発行装置を制御してジョブを実行させる実行制御手段と、
前記指示手段により指示されたジョブの実行に要すると予想される予想所要時間を、前記ディスク発行装置が備える前記データ記録部および前記印刷部のうち前記ジョブを実行するものについて前記動作条件記憶手段に記憶された動作条件と前記搬送部によって前記記録媒体を搬送する搬送経路とに基づいて算出する所要時間算出手段と、
前記所要時間算出手段により算出された予想所要時間を表示し、或いは、前記予想所要時間から得られる予想完了時間を表示する表示手段と、
して機能させるための制御プログラム。
【発明の詳細な説明】
【技術分野】
【０００１】
本発明は、ディスク発行装置を制御する制御装置、ディスク発行装置の制御方法、および、制御プログラムに関する。
【背景技術】
【０００２】
近年、ディスク型記録媒体等の記録媒体の大容量化、記録媒体の種類の多様化、記録媒体にデータを記録する装置の性能向上、データ記録速度の高速化等により、記録媒体にデータを記録する処理がどの程度の時間で済むか、ユーザが予想することは極めて難しい。このため、データの記録・再生を行う装置のなかには、データの記録に要する時間を正確に算出して表示するものがあった（例えば、特許文献１参照）。
【特許文献１】特開平０８−１４７９４４号公報
【発明の開示】
【発明が解決しようとする課題】
【０００３】
ところが、最近、一つの記録媒体に対して、データの記録以外の処理を施す装置が知られるようになった。また、1つのディスク発行装置に、複数のデータ記録部と、印刷部をもつものが知られるようになった。たとえば、ディスク型記録媒体にデータを記録するとともに、その盤面に画像を印刷するディスク発行装置においては、データの記録と印刷という異種の処理を連続して行うため、ディスク発行に係る一連の処理に要する時間をユーザが予想することは極めて難しく、処理がいつ頃完了するかを知る方法は無かった。
本発明は、ディスク発行装置において、ユーザが、ディスク発行に係る一連の処理に要する時間を容易に知ることができるようにすることを目的とする。
【課題を解決するための手段】
【０００４】
上記課題を解決するため、本発明は、記録媒体にデータを記録するデータ記録部と、前記記録媒体に画像を印刷する印刷部と、前記記録媒体を搬送する搬送部と、を備えたディスク発行装置を制御する制御装置において、前記ディスク発行装置が備える前記データ記録部および前記印刷部の動作条件を記憶した動作条件記憶手段と、前記ディスク発行装置により、前記データ記録部と前記印刷部の少なくとも一方を用いて前記記録媒体を処理するジョブを実行するよう指示する指示手段と、前記指示手段の指示に従って前記ディスク発行装置を制御してジョブを実行させる実行制御手段と、前記指示手段により指示されたジョブの実行に要すると予想される予想所要時間を、前記ディスク発行装置が備える前記データ記録部および前記印刷部のうち前記ジョブを実行するものについて前記動作条件記憶手段に記憶された動作条件と前記記録媒体を搬送する搬送経路とに基づいて算出する所要時間算出手段と、前記所要時間算出手段により算出された予想所要時間を表示する表示手段と、を備えることを特徴とする制御装置を提供する。
この構成によれば、記録媒体に対するデータの記録と印刷とを実行可能なディスク発行装置を制御する制御装置が、ジョブの実行が指示された場合に、ディスク発行装置が備えるデータ記録部および印刷部のうちジョブを実行するものについて記憶された動作条件に基づいて、ジョブの予想所要時間を算出して表示する。これにより、ディスク発行装置の動作条件に基づいてジョブの実行に要すると予想される時間を正確に算出することができ、この正確な予想所要時間を表示することで、ユーザは、ジョブの実行に要する正確な時間を、容易に知ることができ、ディスク発行装置の使用時における利便性を大幅に向上できる。
ここで、記録媒体としては、データ記録層と印刷対象面とを有するものが好ましく、例えば、レーザ光等を利用したデータの追記および読み取りが可能な光学的記録媒体、特に、ディスク型記録媒体が本発明に係る記録媒体として挙げられる。具体的には、記録媒体として、ＣＤ−Ｒ，ＣＤ−ＲＷ，ＤＶＤ±Ｒ，ＤＶＤ±ＲＷ，ＤＶＤ−ＲＡＭ、あるいは、次世代ＤＶＤと呼ばれる光ディスク等が挙げられる。
【０００５】
上記構成において、前記動作条件記憶手段は、前記データ記録部の動作条件として、前記記録媒体にデータを記録する際の記録速度、データを記録可能な前記記録媒体の種類、前記記録媒体にデータを記録する記録方式のうちいずれか１以上を含む情報を前記動作条件として記憶し、前記印刷部の動作条件として、前記記録媒体に画像を印刷する際の印刷モードを前記動作条件として記憶するものとしてもよい。
ここで、印刷モードは、印刷解像度等の印刷時間に関係する情報を含む。
この場合、データ記録部が記録媒体にデータを記録する際の記録速度、データを記録可能な記録媒体の種類、記録媒体にデータを記録する記録方式、記録媒体に画像を印刷する際の印刷モード等を含む動作条件に基づいて、予想所要時間を正確に算出できる。
【０００６】
上記構成において、前記動作条件記憶手段は、前記ディスク発行装置においてジョブを実行可能な前記データ記録部または前記印刷部の数を含む動作条件を記憶し、前記所要時間算出手段は、前記動作条件記憶手段に記憶された動作条件に基づいてジョブを実行可能な前記データ記録部または前記印刷部の数を特定し、特定した前記データ記録部または前記印刷部の数に応じた計算方法に従って予想所要時間を算出するものとしてもよい。
この場合、データ記録部または印刷部の数に応じた計算方法で予想所要時間が算出されるので、例えば、データ記録部または印刷部が一つの場合には単純な計算方法により高速で計算を実行でき、複数のデータ記録部や印刷部を用いる場合は、データ記録部や印刷部の数に適した計算方法によって正確に予想所要時間を算出できる。
【０００７】
上記構成において、前記所要時間算出手段は、前記指示手段によって複数のジョブの実行が指示された場合に、指示されたジョブ毎の予想所要時間を算出し、前記表示手段は、実行が指示されたジョブと、ジョブ毎の予想所要時間とを一覧表示するものとしてもよい。
この場合、複数のジョブが実行される場合に、ユーザが、各ジョブの予想所要時間を容易に知ることができる。
【０００８】
上記構成において、前記所要時間算出手段は、前記指示手段によってジョブの実行が指示された場合に、前記実行制御手段が前記ディスク発行装置を制御してジョブを実行させる前に、指示されたジョブの予想所要時間を算出し、前記表示手段は、前記実行制御手段が前記ディスク発行装置を制御してジョブを実行させる前に、指示されたジョブの予想所要時間を表示するものとしてもよい。
この場合、ユーザは、ディスク発行装置によってジョブが実行される前にジョブの予想所要時間を知ることができる。
【０００９】
上記課題を解決するため、本発明は、記録媒体にデータを記録するデータ記録部と、前記記録媒体に画像を印刷する印刷部と、前記記録媒体を搬送する搬送部と、を備えたディスク発行装置の制御方法であって、前記ディスク発行装置が備える前記データ記録部および前記印刷部の動作条件を記憶しておき、前記ディスク発行装置によって、前記データ記録部と前記印刷部の少なくとも一方を用いて前記記録媒体を処理するジョブを実行するよう指示された場合に、指示に従って前記ディスク発行装置を制御してジョブを実行させる一方、指示されたジョブの実行に要すると予想される予想所要時間を、前記ディスク発行装置が備える前記データ記録部および前記印刷部のうち前記ジョブを実行するものについて記憶した動作条件と前記記録媒体を搬送する搬送経路とに基づいて算出し、算出した予想所要時間を表示し、或いは、前記予想所要時間から得られる予想完了時間を表示すること、を特徴とするディスク発行装置の制御方法を提供する。
この方法によれば、記録媒体に対するデータの記録と印刷とを実行可能なディスク発行装置に対してジョブの実行が指示された場合に、ディスク発行装置が備えるデータ記録部および印刷部の動作条件に基づいてジョブの予想所要時間が算出され、表示される。これにより、ディスク発行装置の動作条件に基づいてジョブの実行に要すると予想される時間が正確に算出され、この正確な予想所要時間が表示されるので、ユーザは、ジョブの実行に要する正確な時間を、容易に知ることができ、ディスク発行装置の使用時における利便性を大幅に向上できる。
【００１０】
上記課題を解決するため、本発明は、記録媒体にデータを記録するデータ記録部と、前記記録媒体に画像を印刷する印刷部と、前記記録媒体を搬送する搬送部と、を備えたディスク発行装置を制御するコンピュータにより実行可能な制御プログラムであって、前記コンピュータを、前記ディスク発行装置が備える前記データ記録部および前記印刷部の動作条件を記憶した動作条件記憶手段と、前記ディスク発行装置により、前記データ記録部と前記印刷部の少なくとも一方を用いて前記記録媒体を処理するジョブを実行するよう指示する指示手段と、前記指示手段の指示に従って前記ディスク発行装置を制御してジョブを実行させる実行制御手段と、前記指示手段により指示されたジョブの実行に要すると予想される予想所要時間を、前記ディスク発行装置が備える前記データ記録部および前記印刷部のうち前記ジョブを実行するものについて前記動作条件記憶手段に記憶された動作条件と前記記録媒体を搬送する搬送経路とに基づいて算出する所要時間算出手段と、前記所要時間算出手段により算出された予想所要時間を表示し、或いは、前記予想所要時間から得られる予想完了時間を表示する表示手段と、して機能させるための制御プログラムを提供する。
この制御プログラムをコンピュータによって実行することで、上記の制御装置と同等の作用および効果が得られる。
すなわち、データの記録と印刷とを実行可能なディスク発行装置を制御するコンピュータが、ジョブの実行が指示された場合に、ディスク発行装置が備えるデータ記録部および印刷部の動作条件に基づいてジョブの予想所要時間を算出して表示する。これにより、ディスク発行装置の動作条件に基づいてジョブの実行に要すると予想される時間を正確に算出することができ、この正確な予想所要時間を表示することで、ユーザは、ジョブの実行に要する正確な時間を、容易に知ることができ、ディスク発行装置の使用時における利便性を大幅に向上できる。
【００１１】
また、本発明の上記制御プログラムは、コンピュータ読取可能な記録媒体に記録した形態としてもよい。この記録媒体によれば、コンピュータによってプログラムが記録媒体から読み取られ、読み取られたプログラムにしたがってコンピュータが処理を実行すると、上記の制御装置と同等の作用および効果が得られる。この制御プログラムを記録する記録媒体とは、ＲＡＭ、ＲＯＭ等の半導体記録媒体、ＦＤ、ＨＤ等の磁気記憶型記録媒体、ＣＤ、ＣＤＶ、ＬＤ、ＤＶＤ等の光学的読取方式記録媒体、ＭＯ等の磁気記録型／光学的読取方式記録媒体であって、電子的、磁気的、光学的等の読み取り方法のいかんにかかわらず、コンピュータで読み取り可能な記録媒体であれば、どのような記録媒体であってもよい。
【発明の効果】
【００１２】
本発明によれば、ディスク発行装置の動作条件に基づいてジョブの実行に要すると予想される時間を正確に算出して表示するので、ユーザは、ジョブの実行に要する正確な時間を容易に知ることができ、ディスク発行装置の使用時における利便性が向上する。
【発明を実施するための最良の形態】
【００１３】
以下、図面を参照して本発明に係る実施の形態について説明する。
図１は、本実施の形態におけるディスク発行装置１を正面から見た図であり、図２は、ディスク発行装置１の筐体１０の内部を上から見た図である。
図１および図２に示すディスク発行装置１は、箱形に形成された筐体１０内に、記録媒体としての光ディスクＤにデータを記録するデータ記録部としてのデータ記録装置２０と、光ディスクＤのレーベル面（印刷対象面）に対してインクを吐出することにより文字、図形、画像等を印刷する印刷部としてのインクジェット式の印刷装置３０とを備え、データの記録と印刷が施された光ディスクＤを多数複製するものである。
ディスク発行装置１はホスト装置１００（制御装置）と接続されており、ホスト装置１００によって、ディスク発行装置１において実行される各種の動作が制御される。
また、ディスク発行装置１は、ホスト装置１００の制御に従って、光ディスクＤに対する所定の加工処理として、光ディスクＤに対するデータ記録処理、および、光ディスクＤのレーベル面に対する印刷処理を施す。ここで、ディスク発行装置１は、データ記録処理と印刷処理のいずれか一方のみを実行することも可能である。
【００１４】
光ディスクＤは、レーザ光等を利用したデータの追記および再生が可能な光学的記録媒体であり、具体例としてはＣＤ−Ｒ、ＣＤ−ＲＷ、ＤＶＤ±Ｒ、ＤＶＤ±ＲＷ、ＤＶＤ−ＲＡＭあるいは次世代ＤＶＤと呼ばれるブルーレイディスク、ＨＤ  ＤＶＤ等を挙げることができる。これらの光学的記録媒体は、ポリカーボネート等の合成樹脂製の基板を１枚または複数枚使用したものであり、この基板にデータ記録層や反射層等が積層されて、例えば、直径１２０ｍｍ（ミリメートル）の円盤形状に形成されたものである。
光ディスクＤの一方の盤面は、レーザ光によりデータを記録するための記録面とされ、他方の盤面はレーベル面とされている。記録面においては合成樹脂製の基板が露出し、この基板を透して上記記録層にレーザ光が達する構成となっている。一方、レーベル面には、インクを受容可能なインク受容層が形成されている。このインク受容層は、インクを受容する材料を塗布し、或いは、インク受容層を備えたシートを貼付したものである。インク受容層は、例えば、ポリマーを主成分としたインク膨潤型の成分あるいは、無機顔料を主成分とした隙間吸収型の成分を用いて構成される。
また、光ディスクＤの中心部に形成されたクランプ領域にはインク受容層および記録層等が形成されていない。このクランプ領域は、光ディスクＤを搬送する際に把持される領域である。
【００１５】
ディスク発行装置１は、筐体１０内に複数（図示例では二つ）のデータ記録装置２０と、印刷装置３０を備えるとともに、加工処理に供される光ディスクＤや加工処理済みの光ディスクＤを収容する複数のスタッカ４０、５０（図示例では、「第一スタッカ４１」、「第二スタッカ４２」、「第三スタッカ５０」の三つ）と、これらデータ記録装置２０、印刷装置３０、スタッカ４０、５０の間で光ディスクＤを搬送する搬送部６０とを備えている。但し、ディスク発行装置１内に備えられるデータ記録装置２０や印刷装置３０の数は図示例に限定されるものではない。
【００１６】
図１に示すように、ディスク発行装置１の筐体１０の内部は仕切部１１により上下に仕切られている。以下、筐体１０の仕切部１１より上の部分を筐体上部１２と称し、筐体１０の仕切部１１より下の部分を筐体下部１３と称する。
筐体上部１２には、データ記録装置２０、印刷装置３０、第一スタッカ４１、第二スタッカ４２、搬送部６０が配置されている。データ記録装置２０と印刷装置３０とは筐体上部１２の一方側で、図２に示す背面１２Ａ側に偏った位置に、上下に並べて配置されている。筐体上部１２の他方側には、第一スタッカ４１および第二スタッカ４２が筐体上部１２の前面１２Ｂ側に偏って配置されている。さらに、第一スタッカ４１および第二スタッカ４２の後方に形成され、データ記録装置２０および印刷装置３０の他端側の側方に位置する空間には、搬送部６０のアーム部６１を支持するガイド６２が配置される。なお、データ記録装置２０および印刷装置３０の前面と、筐体上部１２の前面１２Ｂとの間には空間が設けられており、この空間の下部、すなわち仕切部１１の下部には、後述するように第三スタッカ５０が配置される。
【００１７】
筐体上部１２の前面１２Ｂには、ドア１５を備えた開口部１４が形成されている。ドア１５は、開口部１４の他端１４Ａに設けられたドア軸１６を介して、筐体１０に回動自在に支持される枠体１５Ａに、透明板１５Ｂを取り付けて構成される。ドア１５は、第一スタッカ４１、第二スタッカ４２に対する光ディスクＤの出し入れを行うとき以外は基本的に閉じられて、筐体１０内部への塵埃等の進入を防止する。
ディスク発行装置１では、ドア１５が閉じた状態でのみ、データ記録装置２０、印刷装置３０、搬送部６０等が動作するように構成され、これら各部の動作中にドア１５が開けられると各部が動作を停止する。ドア１５が閉じられた状態であっても、透明板１５Ｂを介して、筐体上部１２に配置されたデータ記録装置２０、印刷装置３０、第一スタッカ４１、第二スタッカ４２、搬送部６０等の動作状態をディスク発行装置１の外から視認できる。
【００１８】
筐体下部１３においてデータ記録装置２０や印刷装置３０が配置される側には、第三スタッカ５０が筐体下部１３の前面１３Ａに形成された引出口１７から引出自在に設けられている。第三スタッカ５０は筐体下部１３に露出し、ドア１５が閉じた状態でも引出口１７から第三スタッカ５０を引き出して、光ディスクＤを出し入れできる。つまり、データ記録装置２０、印刷装置３０や搬送部６０が動作している状態でも、第三スタッカ５０を引出口１７から引き出して、第三スタッカ５０に対して光ディスクＤの出し入れを行うことができる。
【００１９】
その他、筐体上部１２の前面１２Ｂには、図１の正面視において左下部（ドア１５の左側下方）にディスク発行装置１の電源をオン／オフする電源スイッチ１８が設けられ、左上部（ドア１５の左側上方）にはディスク発行装置１の各種状態等を示す状態報知部７０が設けられている。
状態報知部７０は、ディスク発行装置１の電源のオン／オフ状態を報知する電源状態報知部７１と、印刷装置３０における各色のインク残量を報知するインク残量報知部７２と、スタッカ４０、５０の各種状態を示すスタッカ状態報知部７３とを備える。これら電源状態報知部７１、インク残量報知部７２、スタッカ状態報知部７３は、それぞれＬＥＤ（発光ダイオード）を備え、ＬＥＤの点灯状態によって各種状態を報知する。例えば、電源状態報知部７１はディスク発行装置１の電源のオン／オフ状態をＬＥＤの点灯状態により報知する。
【００２０】
また、電源状態報知部７１には、印刷装置３０で用いられるインクの色毎にインク残量報知部７２が設けられ、例えば、シアン（Ｃ）、マゼンダ（Ｍ）、イエロー（Ｙ）、ブラック（Ｋ）の４色のインクに対応して、シアンインク残量報知部７２Ａ、マゼンダインク残量報知部７２Ｂ、イエローインク残量報知部７２Ｃ、ブラックインク残量報知部７２Ｄが設けられる。インク残量報知部７２は、ＬＥＤの点灯状態によってインク残量を報知する。なお、スタッカ状態報知部７３については、後述する。
【００２１】
次に、データ記録装置２０、印刷装置３０、搬送部６０について説明する。
データ記録装置２０は、光ディスクＤの記録面にレーザを照射して光ディスクＤにデータを記録する。データ記録装置２０は印刷装置３０の上方に配置され、図１に示す例では二つのデータ記録装置２０が上下に並んでいる。各々のデータ記録装置２０は、記録装置本体２１と、記録装置本体２１から引き出し自在に設けられ、光ディスクＤが載置される略円形の凹部２３（図２）が形成されたドライブトレイ２２とを有する。
印刷装置３０は、光ディスクＤのレーベル面にインクを吐出して文字、図形、画像等を印刷する。印刷装置３０は、印刷装置本体３１と、印刷装置本体３１から引き出し自在に設けられ、光ディスクＤが載置される略円形の凹部（図示略）が形成されたプリンタトレイ３２とを有する。
【００２２】
搬送部６０は、アーム部６１と、仕切部１１の上面１１Ａに立設された円柱状のガイド６２と、アーム部６１を支持する駆動部６３とを備えて構成される。ガイド６２の上端はデータ記録装置２０の上にほぼ達しており、駆動部６３は、このガイド６２の軸方向（高さ方向）に沿って摺動可能であり、かつ、ガイド６２の軸を中心に回動する。
アーム部６１は、駆動部６３の回動に伴ってガイド６２を中心として回動する。アーム部６１の先端には、光ディスクＤの中央部に形成されたクランプ領域を把持するハンドリング部６４が設けられている。
搬送部６０は、ハンドリング部６４によりクランプ領域を把持した状態で、駆動部６３を駆動させて、アーム部６１を上下に移動させ、或いはガイド６２を中心として回動させることで、光ディスクＤを任意の位置から他の位置へ搬送することができる。ハンドリング部６４は、ホスト装置１００の制御に従って、光ディスクＤの保持／解放状態を切り換える。
また、駆動部６３には、ガイド６２の上下方向における駆動部６３の位置や、ガイド６２の軸を中心とした駆動部６３の回動位置（角位置）を検出する駆動部位置検出センサ６５（図３参照）が設けられている。駆動部位置検出センサ６５により検出された駆動部６３の位置に基づき、ハンドリング部６４に保持された光ディスクＤの位置を特定できる。
【００２３】
駆動部位置検出センサ６５としては、例えば、駆動部６３を駆動するモータの回転角度を検出するロータリエンコーダや、駆動部６３自体の位置を検出するリニアエンコーダ、ガイド６２における特定の位置で駆動部６３の有無を検出する光センサ等が挙げられる。
ハンドリング部６４には、ハンドリング部６４が保持する光ディスクＤの有無を検出するディスク保持検出センサ６６が設けられる。ディスク保持検出センサ６６の具体的構成としては、例えば、光センサ等が挙げられる。
【００２４】
次に、スタッカ４０、５０について説明する。
スタッカ４０のうち第一スタッカ４１は、数十枚（例えば、５０枚）程度の光ディスクＤを積載状態で収容する円筒形状の第一スタッカ収容部４１Ａを、筐体１０の内部において筐体１０に固定された第一スタッカベース４１Ｂに、着脱自在に支持させた構成を有する。第一スタッカ収容部４１Ａの外壁の一部は、アーム部６１が第一スタッカ収容部４１Ａの下部まで進行できるよう、下方に向かって長尺に切り欠かれて切欠部４１Ｃとなっている。
また、第二スタッカ４２は第一スタッカ４１と略同一の構成を有している。第二スタッカ４２は、第一スタッカ４１の下方において第二スタッカベース４２Ｂに着脱可能に支持される。第二スタッカ収容部４２Ａの上端と第一スタッカベース４１Ｂの下面との間には、搬送部６０のアーム部６１が挿入可能な間隙Ｋが確保される。第二スタッカ収容部４２Ａの外壁には第一スタッカ４１と同様に、アーム部６１が進入できるように切り欠き部４２Ｃが形成されている。
【００２５】
第一スタッカ４１および第二スタッカ４２のいずれか一方は、加工前の光ディスクＤを供給する供給側のスタッカとして利用され、他方が加工後の光ディスクＤを集積する排出側のスタッカとして利用される。どちらのスタッカを供給側のスタッカまたは排出側のスタッカとして利用するかは、ホスト装置１００の操作部１１３（図３参照）を介してユーザが設定できる。
供給側のスタッカには、データ記録装置２０によるデータ記録、印刷装置３０による印刷、或いはその両方が施される前の光ディスクＤが集積される。排出側のスタッカには、データ記録装置２０によるデータ記録、印刷装置３０による印刷、或いはその両方が施された後の光ディスクＤが、データ記録装置２０または印刷装置３０から搬送部６０によって搬送され、集積される。なお、以下、供給側のスタッカとして使用されるものを供給側スタッカ、排出側のスタッカとして使用されるものを排出側スタッカと称することにする。
【００２６】
ところで、データ記録装置２０によるデータ記録または印刷装置３０による印刷が中断された場合、これらの加工処理が未完了の状態の光ディスクＤが生じる。このような光ディスクＤはいったんデータ記録装置２０または印刷装置３０から排出することが好ましい。このため、第一スタッカ４１または第二スタッカ４２を、加工処理が未完了の状態の光ディスクＤを集積するためのスタッカとして使用できる。以下、この加工処理が未完了の光ディスクＤが排出されるスタッカを未完了ディスク排出スタッカと称することにする。未完了ディスク排出スタッカとして使用するスタッカは、上記と同様に、操作部１１３を介してユーザが設定できる。
【００２７】
筐体下部１３の前面１３Ａには引出口１７が形成され、この引出口１７には、筐体下部１３内の第三スタッカ収容部５１が連通する。第三スタッカ収容部５１は略長方形の空間であって、数枚（例えば、５枚）程度の光ディスクＤを積載状態で収容可能な略円形の凹部５２を有する第三スタッカ５０が引き出し可能に収容されている。第三スタッカ５０の前面５３には、図１に示すように把手部５４が形成されている。
第三スタッカ５０には、第三スタッカ５０が引出口１７から引き出された状態にあるか、引出口１７内に収容されているかを検出するスタッカ状態検出センサ５６（図３参照）が設けられている。スタッカ状態検出センサ５６としては、例えば、光センサや接触型センサ等が挙げられる。
【００２８】
第三スタッカ５０の凹部５２には、図１中に二点鎖線で示すように、光ディスクＤを積載して収容可能な円筒形状の増設収容部５７を取り付けて、第三スタッカ５０に収容可能な光ディスクＤの数を増やすことができる。
以下の説明では、増設収容部５７を取り付けない態様の第三スタッカ５０を引出スタッカと称し、増設収容部５７が取り付けられた態様の第三スタッカ５０を増設スタッカと称する。
【００２９】
第三スタッカ５０は、引出スタッカとして使用される場合も、増設スタッカとして使用される場合も、上述した排出側スタッカあるいは未完了ディスク排出スタッカとして使用可能であり、供給側スタッカとして使用することもできる。ユーザは、ホスト装置１００の操作部１１３により、第三スタッカ５０の使用態様、すなわち、第三スタッカ５０を引出スタッカとして使用するか、増設スタッカとして使用するかとともに、供給側スタッカ、排出側スタッカ、未完了ディスク排出スタッカのいずれのスタッカとして使用するかを設定できる。
【００３０】
ディスク発行装置１はＵＳＢケーブル８２を介してホスト装置１００に接続されており、ホスト装置１００との間で制御情報や各種データ等を送受信可能である。
図３は、ホスト装置１００およびディスク発行装置１の機能的構成を示すブロック図である。
図３に示すように、ディスク発行装置１を構成するデータ記録装置２０および印刷装置３０は、それぞれ、ホスト装置１００に接続されている。また、ディスク発行装置１が備える搬送部６０は、スタッカ状態検出センサ５６および状態報知部７０とともに、オートローダ９０としてホスト装置１００に接続される。データ記録装置２０、印刷装置３０およびオートローダ９０は、いずれも、ＵＳＢハブ８１およびＵＳＢケーブル８２を介してホスト装置１００に接続される。ここで、ＵＳＢハブ８１はＵＳＢケーブル８２を分岐して接続する装置である。従って、データ記録装置２０、印刷装置３０、およびオートローダ９０の各部は、物理的には一つのＵＳＢケーブル８２およびＵＳＢハブ８１に接続されるものの、論理的（仮想的）には、各々独立してホスト装置１００に接続された構成となる。
なお、上記データ記録装置２０および印刷装置３０により、光ディスクＤに対して所定の加工処理を施す加工部９１が構成される。また、ホスト装置１００としては、パーソナルコンピュータやサーバ等を適用することができる。
以下、図３を参照して、ホスト装置１００およびディスク発行装置１の機能的構成について説明する。
【００３１】
図３に示すように、ホスト装置１００は、光ディスクＤを複製するための基本機能を提供するアプリケーション部１１０と、アプリケーション部１１０から受信したデータに従って各種データを作成し、一時保存するデータ変換部１２０と、データ変換部１２０に一時保存されたデータに基づいて、ディスク発行装置１のデータ記録装置２０、印刷装置３０、および、搬送部６０を含むオートローダ９０を中枢的に制御する統合制御部１３０と、統合制御部１３０の制御の下に、ディスク発行装置１のデータ記録装置２０、印刷装置３０およびオートローダ９０を制御する各種ドライバ等を有するデバイス制御部１４０と、を備えている。
【００３２】
アプリケーション部１１０は、セットアップ部１１１と、表示手段としてのモニタ部１１２と、ディスク作成部１１４とを備えている。
セットアップ部１１１は、ディスク発行装置１の仕様、すなわち動作可能な構成部を指定する情報を初期設定する機能を提供する。このセットアップ部１１１は、ディスク発行装置１が備えるデータ記録装置２０や印刷装置３０の使用方法示すデータ、ディスク発行装置１が備えるスタッカの用途（供給スタッカ/排出スタッカ）等、基本的構成に関する情報を設定する。ここで設定された情報は統合制御部１３０によって処理され、記憶部１２４に記憶される。記憶部１２４は動作条件記憶手段として機能する。
セットアップ部１１１が設定する情報は、詳細には、複数搭載されるデータ記録装置２０の内のどれを使用するかを指定する情報、データ記録装置２０でエラーが発生した場合保処理方法、図５に示すテーブル等により設定された記録するデータサイズに対応するデータ記録装置２０による平均書込速度、搬送部６０が、データ記録装置２０、印刷装置３０、第一スタッカ４１、第二スタッカ４２、および第三スタッカ５０の間で光ディスクＤを搬送するために要する時間を示す情報、使用可能なデータ記録装置２０および印刷装置３０の数等を含む。これらの情報は、記憶部１２４に記憶される。
また、印刷装置３０による印刷に要する時間を算出するための情報として、デバイス制御部１４０の印刷入出力部１４３は、印刷モードに関する情報を記憶する。印刷装置３０は、複数の印刷モードを実行可能である。印刷モードは、印刷品質や光ディスクＤのレーベル面の品質毎に予め用意された設定であり、使用するインク量や解像度に関する情報を含む。印刷装置３０が実行可能な各印刷モード毎の解像度等の情報は、印刷入出力部１４３によって保持されており、どの印刷モードを実行するかは、操作部１１３の操作により設定され、或いは自動的に設定される。印刷モードの情報は、印刷に要する時間を算出するために必要な情報であり、統合制御部１３０によって印刷入出力部１４３から取得される。また、後述するインク乾燥時間が操作部１１３の操作により入力された場合は、このインク乾燥時間は、上記の各種情報とともに印刷入出力部１４３により保持される。ここで、印刷入出力部１４３は、記憶部１２４とともに動作条件記憶手段として機能する。
【００３３】
モニタ部１１２は、統合制御部１３０の制御に従って、ディスク発行装置１のデータ記録装置２０、印刷装置３０、オートローダ９０の動作状態や、ディスク発行装置１の動作モード等の各種情報を表示するものである。モニタ部１１２としては、例えば、ＣＲＴ（Cathode Ray Tube）、液晶表示装置（ＬＣＤ）、プラズマ表示装置等の各種の表示装置が適用可能である。
【００３４】
操作部１１３は、ユーザに操作されるキーボード、マウス、トラックボール、タッチパネル、ペンタブレット等の入力デバイス等を備え、ホスト装置１００に対する入力操作を受ける。ユーザは、モニタ部１１２を参照しつつ、操作部１１３を操作することによって、例えば、第一スタッカ４１、第二スタッカ４２および第三スタッカ５０を上述した供給側スタッカ又は排出側スタッカあるいは未完了ディスク排出スタッカとして指定する設定、第三スタッカ５０を引出スタッカまたは増設スタッカとして指定する設定等を行える。また、操作部１１３の操作により、ディスク発行装置１によるジョブの実行を指示することができ、この場合、操作部１１３は指示手段として機能する。
【００３５】
ディスク作成部１１４は、データファイルの内容に基づいて、光ディスクＤに記録すべき書込みデータ１２３や光ディスクＤのレーベル面に印刷すべき画像等に係る印刷データ１２２を編集、生成する。ディスク作成部１１４は、ディスク作成部１１４を中枢的に制御するパブリッシャ部１１４Ｂと、光ディスクＤに記録すべき書込みデータ１２３を編集、生成するディスクエディタ部１１４Ａと、光ディスクＤに印刷すべき画像に係る印刷データ１２２を編集、生成するラベルエディタ部１１４Ｃと、を有する。
また、ディスク作成部１１４はディスク発行装置１の各種動作を制御するための作成指示データ１２１を生成する。この作成指示データ１２１には、データ記録装置２０に対するデータ記録要求、印刷装置３０に対する印刷要求、記録ディスクの作成枚数、搬送部６０に対する搬送指示要求等が含まれる。
テンプレート１１５は、光ディスクＤに印刷処理を施す際に用いられる印刷データ１２２を編集、生成する際に利用可能な各種のテンプレートのデータである。
【００３６】
データ変換部１２０は、ディスク作成部１１４により編集、生成された作成指示データ１２１および印刷データ１２２と、光ディスクＤに記録処理を施す際に用いられる書込データ１２３等を記憶する記憶部１２４と、ディスクライブラリ１２５と、ＧＤＩ部１２６（グラフィックデバイスインターフェース）とを備える。
ディスクライブラリ１２５は、ディスクエディタ部１１４Ａから入力されたデータをもとに、書込みデータ１２３を生成し、記憶部１２４に出力する。
ＧＤＩ部１２６は、ラベルエディタ部１１４Ｃから入力されたデータをもとに、上述した印刷データ１２２を生成し、記憶部１２４に出力する。
【００３７】
統合制御部１３０は、ＣＰＵ（図示略）により所定の制御プログラムを実行することによって実現され、ディスク発行装置１の各部を制御する。
具体的には、統合制御部１３０は、作成指示データ１２１に基づいて、デバイス制御部１４０のデータ記録用ドライバ１４１、オートローダドライバ１４２、および印刷入出力部１４３に対して制御情報を送信すると、データ記録用ドライバ１４１によりデータ記録装置２０が制御され、印刷入出力部１４３により印刷装置３０が制御され、オートローダドライバ１４２によりオートローダ９０が制御され、各装置が所定の動作スケジュールに基づいて動作する。このデータ記録装置２０、印刷装置３０およびオートローダ９０の動作スケジュールは、統合制御部１３０により生成される。これにより、ディスク発行装置１は、データ記録装置２０によるデータの記録、印刷装置３０による印刷、搬送部６０による光ディスクＤの搬送等の動作を、互いに干渉することなく実行できる。
また、統合制御部１３０は、デバイス制御部１４０を介して、スタッカ状態検出センサ５６、駆動部位置検出センサ６５、ディスク保持検出センサ６６の各検出信号を取得することにより、ディスク発行装置１の動作状態を取得して、この動作状態に応じて、デバイス制御部１４０による制御を実行させて、効率のよい光ディスクＤの作成を行わせるとともに、ディスク発行装置１の動作エラー等を検出する。
また、統合制御部１３０は、操作部１１３によりジョブの実行が指示された場合には、デバイス制御部１４０を制御するとともに、ジョブの実行に要する予想所要時間を算出し、この予想所要時間をモニタ部１１２によって表示させる制御を行う。この場合、統合制御部１３０は、実行制御手段、所要時間算出手段、表示手段として機能する。
【００３８】
デバイス制御部１４０は、統合制御部１３０の制御の下、データ記録装置２０の動作を制御するデータ記録用ドライバ１４１と、搬送部６０を含むオートローダ９０の動作を制御するオートローダドライバ１４２と、印刷装置３０の動作を制御する印刷入出力制御部１４３とを備え、さらに、ＵＳＢインターフェイス１４４を備えている。
データ記録用ドライバ１４１は、データ記録用ドライバ１４１からの動作命令のみを有効な命令として選択するフィルタドライバ１４１Ａを備え、データ記録用ドライバ１４１以外からのデータ記録装置２０への動作命令を受け付けない構成となっている。
なお、上述したＧＤＩ部１２６と上記印刷入出力制御部１４３とによってプリンタドライバ１４５が構成されている。
そして、ＵＳＢインターフェイス１４４は、ＵＳＢケーブル８２を介して、ディスク発行装置１が備えるＵＳＢハブ８１に接続される。ＵＳＢインターフェイス１４４は、データ記録装置２０、印刷装置３０、およびオートローダ９０が備えるインターフェイス回路（図示略）との間で所定の通信プロトコルに従って通信制御処理を実行し、データ記録装置２０、印刷装置３０およびオートローダ９０の各々と統合制御部１３０との間の通信を実現する。
【００３９】
ディスク発行装置１を構成するデータ記録装置２０、印刷装置３０、およびオートローダ９０は、それぞれ、ＵＳＢハブ８１を介して、ホスト装置１００のＵＳＢインターフェイス１４４と接続されている。
オートローダ９０は、ホスト装置１００のオートローダドライバ１４２の要求に応じて、上述したスタッカ状態検出センサ５６と、搬送部６０が備える駆動部位置検出センサ６５と、ディスク保持検出センサ６６とによって検出した各種検出信号を出力可能な構成となっている。また、オートローダ９０の搬送部６０は、データ記録用ドライバ１４１の制御に従って、第一スタッカ４１、第二スタッカ４２、第三スタッカ５０、データ記録装置２０、および印刷装置３０の各部の間で光ディスクＤを搬送する。
データ記録装置２０は、ホスト装置１００のデータ記録用ドライバ１４１の制御に従って、ドライブトレイ２２の出し入れ動作を行う。また、データ記録用ドライバ１４１によって書込データ１２３を書き込む命令とともに書込データ１２３が送信されると、データ記録装置２０は、書込データ１２３を受信し、搬送部６０により搬送された光ディスクＤに書込データ１２３を記録する。
印刷装置３０は、ホスト装置１００の印刷入出力部１４３の制御に従って、プリンタトレイ３２の出し入れ動作を行う。また、印刷装置３０は、印刷入出力部１４３から印刷データ１２２が送信されると、この印刷データ１２２を受信し、印刷入出力部１４３の制御に従って、搬送部６０により搬送された光ディスクＤに印刷データ１２２の画像を印刷する。
【００４０】
また、状態報知部７０は、ＵＳＢハブ８１を介してホスト装置１００の統合制御部１３０と通信可能に接続され、各センサ状態などに従って、状態報知部７０の電源状態報知部７１（図１）、インク残量報知部７２（図１）、スタッカ状態報知部７３（図１）を構成する各ＬＥＤの点灯状態を変化させる。
スタッカ状態報知部７３は、上述した第一スタッカ４１、第二スタッカ４２にそれぞれに対応する第一スタッカ状態報知部７３Ａ、第二スタッカ状態報知部７３Ｂを備えている。スタッカ状態報知部７３は、第三スタッカ５０が引出スタッカとして使用されている場合に対応する引出スタッカ状態報知部７３Ｃと、第三スタッカ５０が増設スタッカとして使用されている場合に対応する増設スタッカ状態報知部７３Ｄとを備えている。スタッカ状態報知部７３は、各スタッカ状態報知部７３Ａ〜７３ＤにおけるＬＥＤの点灯状態や点灯色により、各スタッカの状態を報知する。
【００４１】
次いで、上記構成のディスク発行装置１の基本的な動作、すなわち、供給側スタッカに収容された光ディスクＤに、所定の加工処理が施され、排出側スタッカに収納されるまでの一連の動作について簡単に説明する。ここで、説明の便宜のため、ユーザが予め供給側スタッカとして第一スタッカ４１を指定し、排出側スタッカとして第二スタッカ４２を指定し、書込みデータ１２３の記録は、ディスク発行装置１に設けられた二つのデータ記録装置２０のうち、一方のデータ記録装置２０のみを用いて行われるものとする。また、供給側スタッカとしての第一スタッカ４１には、光ディスクＤが予め収納され、かつ、ホスト装置１００に光ディスクＤに記録すべき書込みデータ１２３および印刷すべき印刷データ１２２が予め記憶されているものとし、光ディスクＤに施すべき所定の加工処理としてこの書込みデータ１２３に従って光ディスクＤに対してデータ記録処理が施された後に、印刷データ１２２に従って光ディスクＤに対して印刷処理が施されるものとする。
【００４２】
操作部１１３の操作によって、加工処理の開始が指示されると、オートローダドライバ１４２の制御の下、搬送部６０に対して搬送指示信号が送信され、この搬送指示信号に従って駆動部６３の駆動が開始する。そして、ハンドリング部６４が第一スタッカ４１の第一スタッカ収容部４１Ａの上方まで移動すると、切欠部４１Ｃを通過しながらアーム部６１が下方に移動し、ハンドリング部６４により第一スタッカ収容部４１Ａに収容された光ディスクＤのクランプ領域がクランプされ、光ディスクＤが保持される。
その後、データ記録用ドライバ１４１の制御の下、データ記録装置２０のドライブトレイ２２が引き出される。搬送部６０は、搬送制御信号に従ってこのドライブトレイ２２まで光ディスクＤを搬送し、凹部２３に光ディスクＤを載置し、所定の退避位置に退避する。ドライブトレイ２２の凹部２３に光ディスクＤが載置されると、ドライブトレイ２２が記録装置本体２１に引き込まれ、データ記録処理に必要な各種データが読み込まれた上でデータ記録処理が開始される。
【００４３】
データ記録装置２０において、データ記録処理が完了すると、再び、ドライブトレイ２２が引き出される。搬送部６０のハンドリング部６４は、統合制御部１３０から送信される搬送制御信号に基づいて所定の退避位置からドライブトレイ２２まで移動し、ドライブトレイ２２を介して記録装置本体２１から排出された光ディスクＤを保持する。その後、ドライブトレイ２２は記録装置本体２１に引き込まれると共に、プリンタドライバ１４５の制御の下、印刷装置３０のプリンタトレイ３２が印刷装置本体３１から引き出される。そして、搬送部６０のハンドリング部６４は、統合制御部１３０から送信される搬送制御信号に基づいて、光ディスクＤを保持したまま印刷装置３０のプリンタトレイ３２まで移動し、プリンタトレイ３２に形成された凹部に光ディスクＤを載置し、所定の退避位置に退避する。次いで、プリンタトレイ３２が印刷装置本体３１に引き込まれ、光ディスクＤのレーベル面に対する印刷処理が開始される。
【００４４】
印刷装置３０において、印刷処理が完了すると、再び、プリンタトレイ３２が印刷装置本体３１から引き出される。搬送部６０のハンドリング部６４は、所定の退避位置からこの引き出されたプリンタトレイ３２まで移動し、印刷処理の完了した光ディスクＤを保持する。その後、プリンタトレイ３２は、印刷装置本体３１に引き込まれ、搬送部６０のハンドリング部６４は、光ディスクＤを保持したまま、排出側スタッカとしての第二スタッカ４２の上方まで搬送し、切り欠き部４２Ｃを介して下方に移動し光ディスクＤの保持を解除して、第二スタッカ４２の第二スタッカ収容部４２Ａに加工処理の完了した光ディスクＤを収容させる。
この様に、データ記録装置２０においてデータが記録された光ディスクＤを印刷装置３０に搬送させて印刷処理を施させることにより、レーベル面の印刷の滲み等を防止することができる。また、同じ内容の書込みデータ１２３および印刷データ１２２を用いて複数枚の光ディスクＤにデータ記録処理や印刷処理を行う場合には、１枚の光ディスクＤに対してデータ記録処理に要する時間と、印刷処理に要する時間とを比較するとデータ記録処理に要する時間の方が長くなることがあるため、データ記録装置２０を２台用いてデータ記録処理を行うことにより、複数枚の光ディスクＤに対して加工処理に要する時間を短縮することができる。
【００４５】
このように構成されるディスク発行装置１においては、操作部１１３の操作により、予め、インク乾燥時間を設定できる。インク乾燥時間は、光ディスクＤのレーベル面に付着したインクが、他の光ディスクＤに移染したり、ディスク発行装置１内部を汚損したりしないよう、乾燥させるための時間である。
通常、光ディスクＤのレーベル面に付着したインクの表面は、光ディスクＤが印刷装置３０から排出側スタッカに搬送されて集積される間に十分に乾燥し、移染や汚損のおそれはないので、インク乾燥時間は、初期状態で０秒とされている。しかしながら、インクが特殊なインクである場合や、ディスク発行装置１が低温かつ高湿度の環境下にある場合、光ディスクＤのレーベル面のインク吸着性能が特殊である場合など、希にインクの乾燥に時間を要することがある。このような場合、ユーザが操作部１１３を操作してインク乾燥時間を設定する。設定されたインク乾燥時間をｔ秒とすると、印刷装置３０において印刷処理が完了し、プリンタトレイ３２が引き出されてから、ディスク発行装置１はプリンタトレイ３２および搬送部６０をｔ秒間停止させる。そして、ｔ秒が経過した後に、搬送部６０のハンドリング部６４が光ディスクＤを把持して、排出側スタッカに搬送する。
【００４６】
ところで、上記のように構成されるホスト装置１００においては、操作部１１３の操作に従って、統合制御部１３０の動作に基づいてデバイス制御部１４０がディスク発行装置１を制御し、光ディスクＤを複製する。
ここで、ホスト装置１００の統合制御部１３０は、操作部１１３により光ディスクＤの複製開始が指示された場合に、ディスク発行装置１の動作状態等に関する情報を表示するためのステータス表示画面１０１をモニタ部１１２により表示する。
【００４７】
図４は、ホスト装置１００が表示するステータス表示画面１０１の一例を示す図である。
この図４に示すステータス表示画面１０１には、ディスク発行装置１によって実行されるジョブを一覧表示するジョブ表示部１０２と、ディスク発行装置１の各部の状態を表示する状態表示部１０３とが配置される。
ここで、ジョブとは、操作部１１３の操作により入力された指示に従って、光ディスクＤに加工を施す動作を指し、一つのジョブは、操作部１１３により１回に指示された処理全体に相当する。例えば、操作部１１３の操作によって２０枚の光ディスクＤに対するデータ記録と印刷とが指示された場合、この２０枚の光ディスクＤにデータを記録し、かつ、レーベル面に画像を印刷するまでの全ての動作が、一つのジョブとなる。
ジョブ表示部１０２には、操作部１１３の操作により実行が指示されたジョブが、まだ完了していないジョブ（発行待ちジョブ）と完了したジョブ（完了ジョブ）とに分けて表示される。
ジョブ表示部１０２には、ジョブ毎に、ジョブ名、実行状態、処理する光ディスクＤの枚数、対象の光ディスクＤの種類、供給側スタッカとして使用するスタッカ、排出側スタッカとして使用するスタッカを示す情報等が表示される。
また、ジョブ表示部１０２には、発行待ちジョブについて、各ジョブを開始してから完了するまでに要する時間が「予想所要時間」として表示される。
【００４８】
状態表示部１０３には、印刷装置３０におけるインク残量を、インクの色毎に表示するインク残量表示部１０４が配されている。図４に例示するインク残量表示部１０４には、印刷装置３０が６色のインクを使用する場合のインク残量が表示されている。
また、状態表示部１０３には、ディスク発行装置１が備えるデータ記録装置２０と印刷装置３０の状態を表示するデバイス状態表示部１０５が配置される。デバイス状態表示部１０５には、ディスク発行装置１が備えているのと同数のデータ記録装置２０および印刷装置３０がアイコンで表示される。デバイス状態表示部１０５に表示されるアイコンの表示形態を、各装置の動作状態や、各装置との通信状態に合わせて変化させることも可能である。
さらに、状態表示部１０３には、第一スタッカ４１、第二スタッカ４２、および第三スタッカ５０の状態を示すスタッカ状態表示部１０６が配されている。状態表示部１０３には、ディスク発行装置１が備えるスタッカに対応するアイコンが表示される。この状態表示部１０３のアイコンの表示形態を、例えば、第三スタッカ５０が引出状態であるか否か等のスタッカの状態に合わせて変化させてもよい。
【００４９】
ここで、ジョブ表示部１０２に表示される予想所要時間は、操作部１１３の操作によりジョブの実行が指示された後、統合制御部１３０により算出される。
予想所要時間は、ディスク発行装置１が備えるデータ記録装置２０や印刷装置３０の処理能力等により大幅に変化する。そこで、統合制御部１３０は、記憶部１２４に記憶した情報やデバイスから取得した情報、すなわち、ディスク発行装置１が備えるデータ記録装置２０および印刷装置３０の能力や仕様に関する情報を用いる。この情報には、例えば、データ記録装置２０の書込速度を示す情報や、印刷装置３０による印刷時間を示す情報が含まれる。
【００５０】
ここで、データ記録装置２０のデータ書込速度について説明する。
データ記録装置２０の書込速度は、光ディスクＤの種類に応じて異なる。また、データ記録装置２０のような装置の書込速度として知られている情報は、通常、瞬間的な最高速度を示している。データ記録装置２０が、回転速度を一定に保ってデータを記録するＣＡＶ（Constant Angular Velocity）方式や、ゾーン毎に回転速度および書込速度を変化させるゾーンＣＬＶ（Constant Linear Velocity）方式、或いは、部分的に書込速度を変化させるパーシャルＣＡＶ方式を採用している場合には、光ディスクＤにデータを記録する動作中に、光ディスクＤ上の位置に応じて書込速度が異なる。これは、光ディスクＤの内周側から外周側へ書込を行うに伴って、書込部分の一周の長さが変化するためである。
従って、実際の書込速度は光ディスクＤにおける書込位置によって異なり、光ディスクＤに対するデータの記録を開始してから終了するまでの平均書込速度は、光ディスクＤのどの位置までデータを記録するかによっても変化する。
そこで、ホスト装置１００は、データ記録装置２０により光ディスクＤにデータを記録する場合の平均書込速度を、光ディスクＤの種類と、光ディスクＤに記録するデータサイズとに応じて求めたテーブルを記憶し、このテーブルに従って、統合制御部１３０が予想所要時間を算出する。
【００５１】
図５は、ホスト装置１００が記憶するデータ記録装置２０の平均書込速度を示すテーブルの構成例を、模式的に示す図である。
図５（ａ）は光ディスクＤとしてＣＤ（コンパクトディスク）を用いる場合の書込データ１２３のサイズと、平均書込速度とを対応づけて設定したテーブルである。この図５（ａ）に例示するテーブルは、光ディスクＤがＣＤ−Ｒである場合に、データ記録装置２０が最大４０倍速でデータを記録できるものとした場合の平均書込速度を示す。
書込データ１２３のサイズが小さいと、光ディスクＤの内周側にのみデータが記録され、書込データ１２３が大きくなるにつれて平均書込速度の値は大きくなる。例えば、書込データ１２３が２００ＭＢ（メガバイト）の場合、平均書込速度は１０倍速となり、６００ＭＢ以上の場合は２８倍速となる。
【００５２】
図５（ｂ）は光ディスクＤとして１層のＤＶＤを用いる場合の書込データ１２３のサイズと、平均書込速度とを対応づけて設定したテーブルであり、データ記録装置２０が最大１２倍速でデータを記録できるものとした場合の平均書込速度を示す。
書込データ１２３のサイズが小さいと、光ディスクＤの内周側にのみデータが記録され、書込データ１２３が大きくなるにつれて平均書込速度の値は大きくなる。例えば、書込データ１２３のサイズが２ＧＢ（ギガバイト）未満の場合、平均書込速度は４倍速となり、４ＧＢ以上（４．７ＧＢ未満）の場合は１０倍速となる。
【００５３】
また、図５（ｃ）は光ディスクＤとして２層のＤＶＤを用いる場合の書込データ１２３のサイズと、平均書込速度とを対応づけて設定したテーブルであり、データ記録装置２０が最大１２倍速でデータを記録できるものとした場合の平均書込速度を示す。
書込データ１２３のサイズが４．７ＧＢ（ギガバイト）未満の場合の速度は、図５（ｂ）に示した速度と同様である。ここで、データ記録装置２０および光ディスクＤがオポジット方式に対応している場合、書込データ１２３のサイズが４．７ＧＢを超えると第１層（レイヤ０）の全部と第２層（レイヤ１）の外周側にデータが記録され、書込データ１２３が大きくなるにつれてレイヤ１の内周側まで記録される。このため、例えば書込データ１２３が５ＧＢ未満の場合は７．６倍速となり、５ＧＢ以上６ＧＢ未満の場合はより高速（８．３倍速）となるが、８ＧＢ以上の場合は速度が低下する（６倍速）。
なお、データ記録装置２０および光ディスクＤがパラレル方式に対応している場合には、レイヤ１にデータを記録する間の書込速度は図５（ｂ）と同様に変化する。
【００５４】
図５（ａ）〜（ｃ）に例示したテーブルに設定されたデータは、記憶部１２４に記憶されており、必要に応じて統合制御部１３０により読み出される。また、データ記録装置２０の光ディスクＤの種類毎の最大書込速度は、データ記録用ドライバ１４１を介して、統合制御部１３０がデータ記録装置２０から取得できる。このテーブルに設定されたデータのうち、データ記録装置２０の平均書込速度を用いれば、光ディスクＤがＣＤの場合は下記式（１）により、光ディスクＤがＤＶＤの場合は下記式（２）により、データ記録装置２０によるデータ書込に要する時間（書込予想時間）を算出することができる。
書込予想時間＝書込データ１２３のサイズ／（150×1024×平均書込速度）・・・（１）
書込予想時間＝書込データ１２３のサイズ／（1350×1024×平均書込速度）・・・（２）
ここで、書込データ１２３のサイズはバイト（１ｂｙｔｅ＝８ｂｉｔ）を単位とする。上記式（１）および（２）により得られる書込予想時間の単位は秒である。
光ディスクＤがＤＶＤ−Ｒの場合で書込データ１２３が１ＧＢ未満の場合は、１ＧＢまでパディング処理が行われるため、便宜的に書込データ１２３のサイズを１ＧＢとするとよい。
従って、一つのデータ記録装置２０と、一つの印刷装置３０により、光ディスクＤへのデータ記録とレーベル面への印刷とを行う構成を仮定すると、ｎ枚の光ディスクＤにデータの記録と印刷とを施すジョブの予想所要時間は、下記式（３）により求めることができる。
予想所要時間＝（搬送部６０によるディスク搬送時間＋書込予想時間＋印刷装置３０による印刷時間＋設定されたインク乾燥時間）×ｎ  ・・・（３）
【００５５】
（例１）書込データ１２３のサイズが５００ＭＢ、データ記録装置２０の最大書込速度が４０倍速、インク乾燥時間を３０秒に設定した場合に、１枚の光ディスクＤ（ＣＤ）にデータの記録と印刷を行うジョブの予想処理時間を求める。
搬送部６０によるディスク搬送時間を１０秒とする。図５（ａ）のテーブルによれば平均書込速度は２２倍速であるから、予想所要時間は次式により２０４秒と求められる。
予想所要時間＝｛10＋60＋30＋（500×1024×1024）／（150×1024×22）｝×1＝204
【００５６】
（例２）書込データ１２３のサイズが４．５ＧＢ、データ記録装置２０の最大書込速度が１２倍速、１枚の光ディスクＤ（ＤＶＤ）にデータの記録のみを行うジョブの予想処理時間を求める。
搬送部６０によるディスク搬送時間を１０秒とする。図５（ｂ）のテーブルによれば平均書込速度は１０倍速であるから、予想所要時間は次式により３６０秒と求められる。
予想所要時間＝｛10＋（4.5×1024×1024×1024）／（1350×1024×10）｝×1＝360
（例３）インク乾燥時間を６０秒に設定した場合に、１枚の光ディスクＤに印刷のみを行うジョブの予想処理時間を求める。
搬送部６０によるディスク搬送時間を１０秒とする。予想所要時間は次式により１３０秒と求められる。
予想所要時間＝（10＋60＋60）×1＝130
【００５７】
次に、本実施の形態に係るディスク発行装置１のように、二つのデータ記録装置２０と、一つの印刷装置３０とを用いた場合に、ジョブの予想所要時間を求める方法について説明する。
二つのデータ記録装置２０を用いると、２枚の光ディスクＤに並列的にデータの記録を行うことが可能となる。その一方で、印刷装置３０は一つしかない。このため、データ記録装置２０によるデータ記録と印刷装置３０による印刷とのどちらに長い時間がかかるかを特定する必要がある。
なお、以下の説明では、次のＡ、Ｂ、Ｃ、Ｄ、ＯＵ、ＩＮの各パラメータを用いる。各パラメータの定義は、次の通りである。
ＩＮ：搬送部６０によりドライブトレイ２２に光ディスクＤを搬送するための時間。
Ｄ：搬送部６０によりドライブトレイ２２から光ディスクＤを取り出すための時間。
Ｂ：搬送部６０によりプリンタトレイ３２に光ディスクＤを搬送するための時間。
ＯＵ：搬送部６０によりプリンタトレイ３２から光ディスクＤを取り出すための時間。
Ａ：ＩＮ＋書込予想時間＋Ｄ
Ｃ：Ｂ＋印刷装置３０による印刷時間＋ＯＵ
ここで、書込予想時間は、例えば図５（ａ）〜（ｃ）のテーブルの設定値や、セットアップ部１１１により設定された情報を用いて求められる。ドライブトレイ２２の開閉に要する時間、および、光ディスクＤの認識に要する時間は書込予想時間に含める。設定されたインク乾燥時間は印刷装置３０による印刷時間に含める。プリンタトレイ３２の開閉に要する時間は印刷時間に含める。
【００５８】
上記パラメータに関して、データ記録装置２０によって光ディスクＤへのデータ記録を２回行うための時間は、（Ａ＋Ｂ＋Ａ−Ｄ）で表され、二つのデータ記録装置２０により光ディスクＤにデータを記録し、かつ、印刷装置３０により２枚の光ディスクＤに画像を印刷するための時間は、（Ａ＋２Ｃ＋Ｄ）で表される。そして、下記式（４）の関係が成立する場合、データ記録装置２０によるデータ記録処理がボトルネックになっていると判定でき、下記（５）の関係が成立する場合、データ記録装置２０によるデータ記録処理がボトルネックになっていると判定できる。
Ａ＋Ｂ＋Ａ−Ｄ  ≧  Ａ＋２Ｃ＋Ｄ  ・・・（４）
Ａ＋Ｂ＋Ａ−Ｄ  ＜  Ａ＋２Ｃ＋Ｄ  ・・・（５）
【００５９】
［ケース１］上記式（４）の関係が成立する場合
図６は、上記式（４）の関係が成立する場合のディスク発行装置１の動作と処理時間の関係を模式的に示す図である。
この図６に示すように、ディスク発行装置１においては、データ記録装置２０が１枚の光ディスクＤにデータを記録する間に、印刷装置３０によって２枚の光ディスクＤに印刷をすることができる。このため、ディスク発行装置１は、一方のデータ記録装置２０によるデータの記録を実行し（図６（ａ）のデータ記録（１））、続いて、他方のデータ記録装置２０によるデータの記録を実行し（図６（ｂ）のデータ記録（２））、記録が終了した光ディスクＤを、搬送部６０によって順次、印刷装置３０に搬送して、画像を印刷する（図６（ｃ）の印刷）。
この図６から、ｎ枚の光ディスクＤにデータ記録と印刷を施すために要する予想所要時間は、次の式（６）により求められることがわかる。
予想所要時間＝｛Ａ×（ｎ／２）｝＋｛Ｂ×（ｎ／２−１）｝＋（Ｃ×２）＋Ｄ・・（６）
【００６０】
［ケース２］上記式（５）の関係が成立する場合
図７は、上記式（５）の関係が成立する場合のディスク発行装置１の動作と処理時間の関係を模式的に示す図である。
この図７に示すように、ディスク発行装置１においては、データ記録装置２０が１枚の光ディスクＤにデータを記録する時間よりも、印刷装置３０によって２枚の光ディスクＤに印刷をする時間の方が長い。このため、ディスク発行装置１は、一方のデータ記録装置２０によるデータの記録を実行し（図７（ａ）のデータ記録（１））、続いて、他方のデータ記録装置２０によるデータの記録を実行し（図７（ｂ）のデータ記録（２））、記録が終了した光ディスクＤを、搬送部６０によって順次、印刷装置３０に搬送して、画像を印刷する（図７（ｃ）の印刷）。また、印刷装置３０の印刷処理が終わるまで、二つのデータ記録装置２０は、データ記録が完了してドライブトレイ２２を引き出した状態で、待機する。
この図７から、ｎ枚の光ディスクＤにデータ記録と印刷を施すために要する予想所要時間は、次の式（７）により求められることがわかる。
予想所要時間＝Ａ＋（Ｃ×ｎ）＋｛Ｄ×（ｎ−１）｝  ・・・（７）
【００６１】
このように、ホスト装置１００は、操作部１１３の操作によってジョブの実行が指示された場合に、ジョブ毎の予想所要時間を算出して、算出した予想所要時間を含むステータス表示画面１０１を表示する。これによって、ユーザは、ジョブが完了するまでに要する時間を容易に知ることができる。ここで求められる予想所要時間には、光ディスクＤをドライブトレイ２２やプリンタトレイ３２に搬送し、或いはドライブトレイ２２やプリンタトレイ３２から取り出すための時間も含まれている。つまり、予想所要時間は、光ディスクＤを搬送する搬送経路をも加味して、実際の光ディスクＤの加工に要する時間に極めて近い正確な予想により算出された時間である。
また、ステータス表示画面１０１には、ジョブ表示部１０２において未完了のジョブが一覧表示され、各ジョブの予想所要時間が表示される。このため、ユーザは、実行待ちのジョブについて、それより前のジョブの予想所要時間から、ジョブが開始されるまでの待ち時間を知ることもできる。
従って、作業の進行予定を容易に、かつ的確に把握することができ、ディスク発行装置１を利用して効率よく作業を行い、ユーザの利便性を高めることができる。
【００６２】
図８は、ホスト装置１００の動作を示すフローチャートである。
この図８の動作を開始する際、１．操作部１１３を介して実行条件の入力（実行するジョブの選択、具体的条件の入力）が行われ（ステップＳ１１）、２．ジョブの実行命令が入力され（ステップＳ１２）、３．統合制御部１３０が実行命令を取得して処理を開始する。
統合制御部１３０は、データ記録装置２０の最大書込速度、書込データ１２３のサイズ、印刷装置３０による印刷速度等を含む情報（実行条件）を取得する（ステップＳ１３）。
ここで、統合制御部１３０は、データ記録装置２０が一つであるか否かを判別し（ステップＳ１４）、一つのデータ記録装置２０によりジョブが実行される場合（ステップＳ１４；Ｙｅｓ）には、通常の計算式を適用すると設定し（ステップＳ１５）、後述するステップＳ１９に移行する。ここで通常の計算式とは、上記式（３）で示した計算式である。
【００６３】
一方、ジョブの実行時に使用するデータ記録装置２０が一つでない場合（ステップＳ１４；Ｎｏ）、統合制御部１３０は、上記式（４）と（５）のいずれが成立するかに基づいて、ボトルネックが印刷であるか否かを判別する（ステップＳ１６）。
ここで、ボトルネックが印刷でない場合（ステップＳ１６；Ｎｏ）、すなわち、上記式（４）が成立する場合には、統合制御部１３０はケース１に該当するジョブであると判別して、上記式（６）の計算式を適用すると設定し（ステップＳ１７）、後述するステップＳ１９に移行する。
また、ボトルネックが印刷である場合（ステップＳ１６；Ｙｅｓ）、すなわち、上記式（５）が成立する場合には、統合制御部１３０はケース２に該当するジョブであると判別して、上記式（７）の計算式を適用すると設定し（ステップＳ１８）、後述するステップＳ１９に移行する。
【００６４】
その後、統合制御部１３０は、設定した計算式とステップＳ１３で取得した実行条件とに基づいて、予想処理時間を算出し（ステップＳ１９）、算出した予想処理時間をステータス表示画面１０１に表示して（ステップＳ２０）、本処理を終了する。
なお、統合制御部１３０は、図８に示す動作が終了した後、または図８のステップＳ１３以後の処理と並行して、デバイス制御部１４０によって命令されたジョブを実行する。すなわち、デバイス制御部１４０の制御のもとに、データ記録装置２０、印刷装置３０およびオートローダ９０が動作して、光ディスクＤへのデータ記録や印刷が実行される。
【００６５】
このように、本発明を適用した実施の形態におけるホスト装置１００において、統合制御部１３０は、操作部１１３の操作によりジョブの実行が指示された場合に、ディスク発行装置１が備えるデータ記録装置２０および印刷装置３０のうちジョブを実行するものについて記憶部１２４に記憶された動作条件と光ディスクＤを搬送する搬送経路とに基づいて、ジョブの予想所要時間を算出し、この予想所要時間を含むステータス表示画面１０１をモニタ部１１２により表示させる。これにより、ディスク発行装置１の動作条件および搬送経路に基づいてジョブの実行時間を正確に算出することができ、この正確な予想所要時間を表示することで、ユーザは、ジョブの実行に要する正確な時間を、容易に知ることができ、ディスク発行装置１の使用時における利便性を大幅に向上できる。
ここで、モニタ部１１２に、予想所要時間に限らず、ジョブが完了するまでの残り時間を示す予想完了時間を表示してもよい。この予想完了時間は、予想所要時間とジョブを開始してからの経過時間とをもとに容易に求めることができる。また、実行待ちのジョブが複数有る場合には、各々のジョブについて、それより前に実行されるジョブが完了するまでの待ち時間と、各ジョブの実行に要する予想所要時間とを合わせた予想完了時間を求めて表示してもよい。
【００６６】
また、統合制御部１３０は、図８のステップＳ１５，Ｓ１７，Ｓ１８でデータ記録装置２０または印刷装置３０の数に応じた計算方法を決定して、予想所要時間を算出するので、例えば、データ記録装置２０または印刷装置３０が一つの場合には単純な計算方法で高速で計算を実行でき、複数のデータ記録装置２０や印刷装置３０を用いる場合は、データ記録装置２０や印刷装置３０の数に適した計算方法によって正確に予想所要時間を算出できる。
複数のジョブの実行が指示された場合、統合制御部１３０は、指示されたジョブ毎の予想所要時間を算出し、ステータス表示画面１０１にジョブとジョブ毎の予想所要時間とを一覧表示させるので、ユーザは、各ジョブの予想所要時間を容易に知ることができる。また、統合制御部１３０は、ディスク発行装置１を制御してジョブを実行させる前に、ジョブの予想所要時間を算出してステータス表示画面１０１として表示するので、ユーザは、ジョブの実行前にジョブの予想所要時間を知ることができる。
【００６７】
また、統合制御部１３０は、光ディスクＤの種類毎のデータ記録装置２０の最大書込速度と、光ディスクＤに記録する書込データ１２３のデータサイズをもとに、図５（ａ）〜（ｃ）に示したテーブルにより予め設定された平均書込速度を求め、この平均書込速度に基づいて、ジョブの予想所要時間を算出する。これにより、書込データ１２３のデータサイズ（データ量）を加味してジョブの予想所要時間を正確に算出できる。
さらに、予想所要時間を算出する計算方法としては、上記式（３）に示したように、搬送部６０によるディスク搬送時間と、データ記録装置２０によるデータの記録に要する時間と、印刷装置３０による印刷に要する時間と、設定されたインク乾燥時間との和に、ジョブで処理される光ディスクＤの枚数を乗じる方法がある。この計算方法によれば、一つのデータ記録装置２０と一つの印刷装置３０とを用いる場合の予想所要時間を、高速に、かつ正確に算出できる。
また、データ記録装置２０および印刷装置３０の少なくともいずれかが複数ある場合には、データ記録装置２０と印刷装置３０のうちボトルネックとなる側を特定し、ボトルネックとなる側の装置の処理時間をベースにした計算方法により、予想所要時間を計算する。
例えば、二つのデータ記録装置２０を用いる場合、上記式（４）および（５）に基づいてボトルネックの装置を特定し、データ記録装置２０がボトルネックの場合は上記式（６）を用い、印刷装置３０がボトルネックの場合は上記式（７）を用いる。これにより、データ記録装置２０および印刷装置３０の処理速度と、搬送部６０による搬送に要する時間とを十分に加味して、正確に予想所要時間を算出できる。
【００６８】
以上説明した上記実施の形態は本発明の一態様に過ぎず、本発明の趣旨を逸脱しない範囲で適宜変更可能であるのは勿論である。
例えば、上記実施の形態では、ホスト装置１００によってディスク発行装置１において行われる各種の動作が制御され、ディスク発行装置１側ではデータ記録装置２０や、印刷装置３０、搬送部６０を含むオートローダ９０を統合的に制御する制御部を具備しない構成となっている。この構成は、データ記録装置２０や印刷装置３０を汎用のものを用いて簡易に構成することができ、ディスク発行装置１の製造に係るコストを低減できるという利点があるが、本発明の実施態様としては、ディスク発行装置１において、ディスク発行装置１を構成する各装置２０、３０、９０を統合的に制御する制御装置を有する構成とすることも、勿論可能である。この場合、ホスト装置１００からは光ディスクＤの処理に関する制御情報、書込みデータ１２３や印刷データ１２２等を取得し、これらの制御情報や各種データに基づいて、ディスク発行装置１側が備える制御装置の制御のもと、光ディスクＤを処理してもよい。また、上記制御装置が、図８に示すフローチャートにおいて統合制御部１３０が実行する処理を行う構成とすることができる。この場合、ステータス表示画面１０１に相当する画面を表示するディスプレイを、ディスク発行装置１に設けた構成とすればよい。
【００６９】
また、上記実施の形態で、ステータス表示画面１０１に表示された予想所要時間を、時間の経過に伴って減算して表示を更新するものとしてもよい。この場合、ステータス表示画面１０１には、実行中のジョブについて予想所要時間の残り時間が表示されることになり、より一層有用である。この処理は、例えば、統合制御部１３０により時間を計時するとともに、一定時間毎にステータス表示画面１０１の表示を更新する構成とすれば、実現可能である。
さらに、ステータス表示画面１０１に予想所要時間を表示する形態としては秒単位としてもよいし、時分を単位としてもよい。また、複数のジョブを連続して実行する場合に、これら複数のジョブの全てが完了するまでの予想所要時間を算出してステータス表示画面１０１に表示してもよい。
また、上記実施の形態では第一スタッカ４１を供給側スタッカとし、第二スタッカ４２を排出側スタッカとし、第三スタッカ５０を未完了ディスク排出スタッカとして使用する態様について説明したが、第一スタッカ４１、第二スタッカ４２、第三スタッカ５０のうちどのスタッカを供給側スタッカ、排出側スタッカ、未完了媒体排出スタッカとして使用してもよい。
【００７０】
また、上記実施の形態において、ディスク発行装置１が備える印刷装置３０は、黒、シアン、マゼンタ、イエロー、ライトシアン、ライトマゼンダの６色のインクを使用するインクジェット式プリンタとして説明したが、本発明はこれに限定されるものではなく、例えば、ライトシアンとライトマゼンダを除く４色のインクを用いるプリンタであってもよいし、黒および赤の２色のインクのみ、或いは黒インクのみを用いる構成としてもよい。また、上記実施の形態の印刷装置３０としては、ピエゾ素子等を用いてインクを吐出するインクジェット式プリンタが挙げられるが、他の方法によりインクを吐出する記録ヘッドを用いても良い。例えばインク通路に配置したヒータに通電し、インク通路内に発生する泡（バブル）によりインクを吐出する記録ヘッドを用いても良い。
さらに、本発明は、上記実施の形態で説明したディスク発行装置１に限らず、光ディスクにデータを記録するとともに、そのレーベル面に画像を印刷する装置を内蔵した電子機器等にも適用可能である。
【図面の簡単な説明】
【００７１】
【図１】本実施の形態のディスク発行装置の構成を示す正面図である。
【図２】ディスク発行装置の筐体内部を示す上面図である。
【図３】ディスク発行装置とホスト装置の機能的構成を示すブロック図である。
【図４】ホスト装置が表示するステータス表示画面の例を示す図である。
【図５】ホスト装置が記憶する平均書込速度の設定値の一例を示す図である。
【図６】ディスク発行装置の動作と処理時間の関係を模式的に示す図である。
【図７】ディスク発行装置の動作と処理時間の関係を模式的に示す図である。
【図８】本実施の形態の動作を示すフローチャートである。
【符号の説明】
【００７２】
１…ディスク発行装置、２０…データ記録装置（データ記録部）、３０…印刷装置（印刷部）、４１…第一スタッカ、４２…第二スタッカ、５０…第三スタッカ、６０…搬送部、９０…オートローダ、９１…加工部、１００…ホスト装置（制御装置）、１０１…ステータス表示画面、１０２…ジョブ表示部、１１２…モニタ部（表示手段）、１１３…操作部（指示手段）、１２１…作成指示データ、１２２…印刷データ、１２３…書込データ、１２４…記憶部（動作条件記憶手段）、１３０…統合制御部（実行制御手段、所要時間算出手段、表示手段）、１４２…オートローダドライバ、１４３…印刷入出力部（動作条件記憶手段）、Ｄ…光ディスク（記録媒体）。
【図１】
2009070524.tif 000003
【図２】
2009070524.tif 000004
【図３】
2009070524.tif 000005
【図４】
2009070524.tif 000006
【図５】
2009070524.tif 000007
【図６】
2009070524.tif 000008
【図７】
2009070524.tif 000009
【図８】
2009070524.tif 000010